(57)【特許請求の範囲】
【請求項１】
多孔性キャリヤー要素をディスペンスする装置であって、
多孔性キャリヤー要素用の実質的に筒形状であり、長手方向を有する供給チャンバー；および
多孔性キャリヤー要素を供給チャンバーから前記長手方向で排出させる突き出し手段
を含み、
突き出し手段が、突き出し体を含み、
出口開口部が供給チャンバーの端壁に配置されており；
出口開口部の断面が、供給チャンバーの断面よりも小さく；
各多孔性キャリヤー要素が硬質の分離要素を含み；かつ
分離要素が、装置の前記長手方向に対して垂直な方向において、供給チャンバーの端壁の後ろで当該垂直な方向に延びる寸法を有し、突き出し体を作動させるときに、分離要素が出口開口部を経由して移動するだけであって、他の場合には分離要素は端壁によって後方に保持されている装置であって、
端壁が前記長手方向に垂直な方向で出口開口部まで延び、分離要素が放たれるまで、分離要素を保持すること、ならびに分離要素および端壁は、キャリヤー要素が放たれる前に、突き出し体の作用によって、分離要素が湾曲する特性を有することを特徴とする、装置。
【請求項２】
突き出し体が、ねじ山が形成された少なくとも１つのボディによって、装置に配置された回転可能なボディに連結されている請求項１に記載の装置。
【請求項３】
回転可能なボディおよび突き出し体が、ねじ山が形成された、シーケンス的に機能する２つのボディによって、相互に連結されている請求項２に記載の装置。
【請求項４】
突き出し手段が、ハウジング内に配置されたねじきりされたガイドを含み、
突出し体に、ねじきりされたガイドに係合する係合手段が形成され、かつ
回転手段が突き出し体を回転させるように配置されている
請求項１に記載の装置。
【請求項５】
多孔性キャリヤーの要素がそれぞれ、上方にある分離要素に結合している請求項４に記載の装置。
【請求項６】
端壁の外側に、出口開口部を経由して移動させた最新のキャリヤー要素を保持する保持要素が設けられている請求項５に記載の装置。
【請求項７】
補助的な物質を多孔性キャリヤーに供給するディスペンス手段が装置に設けられている請求項１に記載の装置。
【請求項８】
ディスペンス手段が、装置に取り外し可能なように連結された独立したタンクを含む請求項７に記載の装置。
【請求項９】
補助的な物質が実質的に固体の粉体物質であり、タンクが実質的に固体の粉体物質を含むようになっている請求項８に記載の装置。
【請求項１０】
補助的な物質が液体であり、前記ディスペンス手段が、タンクから液体を、出口開口部を経由して移動した最新のキャリヤー要素に供給する、請求項８に記載の装置。
【請求項１１】
外部から制御され得る作動要素によってディスペンス装置を作動させ得る請求項１０に記載の装置。
【請求項１２】
タンクが筒形であり、その軸が供給チャンバーの軸と実質的に平行に延在している請求項１１に記載の装置。
【請求項１３】
タンクが筒形ジャケット形態であり、供給チャンバーの周囲で延在している請求項１２に記載の装置。
【請求項１４】
タンクに取り外し可能なキャップが設けられている請求項１３に記載の装置。
【請求項１５】
キャリヤーおよび液体がマニキュアを取り除くのに適したものである請求項１４に記載の装置。
【請求項１６】
装置が揮発性の液体をディスペンスするのに適しており、装置にキャップが設けられている請求項１に記載の装置。
【請求項１７】
装置が少なくとも２つのタンクに連結され得る請求項８に記載の装置。
【請求項１８】
タンクをそれぞれ装置に連結することができ、タンクが相互に連結可能である請求項１７に記載の装置。
【請求項１９】
装置が少なくとも２つのタンクに連結され得る請求項１６に記載の装置。
【請求項２０】
タンクをそれぞれ装置に連結することができ、タンクが相互に連結可能である請求項１９に記載の装置。
【発明の詳細な説明】
【０００１】
本発明は、多孔性キャリヤーをディスペンスする（又は排出させる、もしくは取り出させる）又ははずす装置に関するものである。
【０００２】
そのような多孔性キャリヤーは化粧品用に幅広く適用されており、例えば、マニキュアを取り除く液体のキャリアー、顔の洗浄用流体のキャリヤー、顔にパウダーをつけるためのキャリアー等として適用される。
【０００３】
通常、脱脂綿の塊が例えば脱脂綿のパッドの形態でキャリヤーとして使用される。
【０００４】
そのような脱脂綿のパッドまたは他の多孔性キャリヤーを掴むことはしばしば困難である。本発明はこの目的のために、多孔性キャリヤー用の供給チャンバーおよびキャリヤーを供給チャンバーの外側へ徐々に移動させる突き出し（もしくは排出）手段（またはエジェクト手段）を備えた装置を提供する。ここでは、１つの要素とみなされるキャリヤーを供給チャンバーの外側へ徐々に移動させ、それによりキャリヤーに補助的な物質を供給することができ、そして当該補助的な物質を顔面につけることができ、あるいは補助的な物質を例えばマニキュアのような不純物（または汚れ）を取り除くために使用することができる。
【０００５】
第１の好ましい態様によれば、供給チャンバーは少なくとも実質的に筒形であり、突き出し手段は、供給チャンバーの外部から供給チャンバーの長手方向で作動させ得る突き出し体（またはエジェクト・ボディ）を含む。
【０００６】
これにより、構造的に簡易な構成となる。
【０００７】
別の好ましい態様によれば、突き出し手段は、供給チャンバーの端壁に配置された出口開口部を有する。出口開口部の寸法（ディメンション）は、突き出し体を作動させるときにのみ多孔性キャリヤーが出口開口部を経由して移動するような寸法である。したがって、キャリヤーが偶然に過度に外側へ移動することはない。
【０００８】
特に重要な態様によれば、多孔性キャリヤーは長さ方向において分離した（またはばらばらの）要素に分割され、突き出し体が作動すると当該要素は出口開口部を経由して１つずつ移動する。
【０００９】
このことは、分離した要素を、当該分野において典型的なものである脱脂綿のパッドの形態で使用することを可能にする。
【００１０】
装置をより良好に操作するために、多孔性キャリヤーの要素は分離要素によって互いに分離されている。それにより、ディスペンス（または排出）はより容易になる。
【００１１】
このことは、突き出し体を作動させる（または操作する）ときに分離要素が出口開口部を経由して移動するだけであって、それ以外のときには端壁によって後方に保持されるような寸法を有するときに特にあてはまる。
【００１２】
さらに別の好ましい態様によれば、多孔性キャリヤーの要素はそれぞれ、上方にある分離要素に結合している。
【００１３】
これにより、キャリヤーの硬さは明らかに増加する。
【００１４】
さらに別の好ましい態様によれば、端壁の外側には、出口開口部を経由して移動させた最新の（または一番下の）キャリヤー要素を保持する保持要素が設けられる。
【００１５】
別の興味ある好ましい態様は、残る従属クレームにおいて詳細に説明する。
【００１６】
本発明を、添付した図面を参照して以下において説明する。
【００１７】
本発明の装置は、本質的に、下側に出口開口部（２）が設けられた筒形ハウジング（１）で形成される。筒形ハウジングの壁は、ここでは互いに向かって僅かにカーブしていて、それにより出口開口部（２）は筒形ハウジング（１）のその他の部分の内径よりも僅かに小さい直径を有する。筒形ハウジング（１）の他方の端部は、例えば接着または溶接によって筒形ハウジング（１）に連結したキャップ（３）によって閉じられている。
【００１８】
キャップ（３）には、筒形の開口部が筒形ハウジング（１）と同心に設けられており、スクリュー・スピンドル（４）は当該開口部を通過する。スクリュー・スピンドルはキャップ（３）の部分で広くなっていて、筒形部分（５）を形成している。筒形部分（５）の下側には広い部分（６）が設けられる。筒形部分（５）および広い部分（６）を備えたスクリュー・スピンドル（４）は、キャップ（３）に対して相対的に自由に回転し得る。その上部では、筒形部分（５）がねじ山を有する部品（７）によって閉じられている。スクリュー・キャップ（８）はねじ山を有する部品（７）に螺着される。したがって、スクリュー・スピンドル（４）を外部からスクリュー・キャップ（８）を回転させることによって回転させることができる。他方において、スクリュー・スピンドル（４）は軸方向で移動できない。
【００１９】
実質的に筒形の突き出し体（９）は、筒形ハウジング（１）の内部に当該ハウジングと同心に配置される。突き出し体（９）の内部には空洞（10）が設けられ、スクリュー・スピンドル（４）は当該空洞を通過している。突き出し体（９）は丸ナット（11）によって上部にて閉じられる。丸ナット（11）は幅広形態であり、丸ナット（11）がハウジング（１）に対して回転することを防止している。あるいはまた、丸ナットを八角形等にすることも可能であり、その場合、筒形体（１）の内壁はそれに合うように形成されなければならない。重要なことは、スクリュー・キャップ（８）を回転させるとき、丸ナット（11）が下向きに移動し、それにより突き出し体が同様に軸方向で下向きに移動させられることである。
【００２０】
筒形ハウジング（１）の内部には、キャリヤー要素（12）が充填される。キャリヤー要素（12）は分離要素（13）によって相互に離れている。
【００２１】
キャリヤー要素は、例えば厚紙またはプラスチック製のディスク（13）の形態の分離要素によって相互に離された脱脂綿のパッドで形成される。
【００２２】
代わりに、一体のものから成るキャリヤー要素を使用することが可能である。スクリュー・キャップ（８）を回転させると、キャリヤー要素は外側へゆっくりと移動するであろう。ここでは、所望の量のキャリヤー要素を引き剥がすことが可能である。
【００２３】
尤も、通常、上方に位置する分離要素（13）に付着できる分離した要素（12）が使用されるであろう。分離要素（13）を別々の要素として構成することも可能である。
【００２４】
ここまでで説明した装置は、カバー（14）の上に配置されるが、これは本発明の本質ではない。このカバー（14）は筒形ハウジングを囲んで排出用開口部（２）の位置にて締めつけるように嵌まっている。この場合において、カバーは広い環状の脚部（15）を有するように形成され、それによりカバー（14）は筒形ハウジング（１）のスタンドとして作用し得る。
【００２５】
図２は本発明の第２の態様を示す。この第２の態様は、スクリュー・キャップ（８）と突き出し体（９）との間の結合が異なるようにされている点で異なる。図２に示すこの態様において、スクリュー・キャップ（８）はスクリュー・スピンドル（４）に連結されており、スピンドル（４）は入れ子式のボディ（16）に連結されている。後者には、スクリュー・スピンドル（４）が通過するねじ山が形成された開口部が設けられている。スクリュー・キャップ（８）が回転すると、スクリュースピンドル（４）が回転し、続いて入れ子式のボディ（16）が軸方向で変位するであろう。入れ子式のボディ（16）は突き出し体（９）に連結されていて、それにより、入れ子式のボディ（16）が軸方向で変位したときに、突き出し体（９）が軸方向で変位するようになっている。この動きは、図３に示す状態に至るまで続けられ得る。入れ子式のボディ（16）はここでは、その末端の位置まで回転させられている。さらに、スクリュー・スピンドル（４）が入れ子式のボディ（16）に緊密に螺着しているために、スクリュー・キャップ（８）およびそれとともにスクリュースピンドル（４）が回転すると、入れ子式のボディ（16）が共回転する。
【００２６】
入れ子式のボディ（16）の外側にねじ山が設けられ、ねじ山には突き出し体（９）に連結されたナット（17）が係合している。さらに、スクリュー・キャップ（８）が回転すると入れ子式のボディ（16）が共回転し、その後、入れ子式のボディ（16）と突き出し体（９）の一部を形成するナット（17）とがねじ山で係合するために、突き出し体（９）がさらに軸方向で変位する。
【００２７】
回転運動は、図４に示す状態に至って突き出し体（９）がその末端の位置に移動させられるまで続けることができる。
【００２８】
この入れ子式の構造物は、筒形ハウジングの全長の約３分の２がキャリヤー要素（12）で形成され得るという利点を有する。図１に示す最初の状態においては、この量は約半分だけになる。
【００２９】
これは、僅かにより複雑な機構を当然に必要とするであろう。
【００３０】
さらに、図２に示す態様は、それに配置されるカバー（14）の下側に空洞（18）が設けられる点において、図１に示す態様と異なる。空洞（18）は開いているが、蓋で閉じることができる。空洞（18）の空間は粉体物質で満たすことができ、粉体物質はキャリヤー要素を使用して適用され得る（またはつけられ得る）。
【００３１】
環状の脚部の内側を適当な構成とすることにより、数個のそのようなカバーを１つのカバーの下に次のカバーが来るように順次配置することができ、それぞれは例えば異なる色をつけるための物質で満たされる。
【００３２】
最後に、図５は筒形の外側ハウジング（19）が筒形ハウジング（１）の周囲に配置され、２つのハウジングの間に存在する筒形ジャケット（またはシリンダー・ジャケット）形態の空間（20）が液体を含むのに適している態様を示す。
【００３３】
外側ハウジング（19）は下部にて出口開口部（２）のすぐ手前の位置まで延びる。ここで、外側ハウジング（19）には、出口開口部（２）の周囲のリングに接続している内側リング（21）が設けられている。
【００３４】
外側ハウジングにはさらに２つの環状の突出部（22）が設けられ、それにより、ある程度、ばねの力をリング（21）に及ぼすことが可能となり、その結果、空間（20）内に存在する液体を供給することができる。
【００３５】
乾燥を防止するため、全体はキャップ（23）で閉鎖され得る。キャップ（23）にはリング（21）を閉じた位置に押し付けるリング（24）が設けられる。キャップは、外側ハウジング（19）の外側の周囲に緊密に嵌まったリング（25）をさらに含む。
【００３６】
あるいは、既に例えばアルコールを予め含浸させたキャリヤー要素をハウジング内に収容することも可能である。
【００３７】
上述したように、空間（20）は、適用する（またはつける）液体（例えばアセトンのような除光液）で満たすことができる。外側ハウジング（19）を軸方向で押し下げると、外側の塗布要素を濡らすことができ、その後、マニキュアを取り除くことができる。種々の目的に適した他の液体を使用し得ることは明らかであろう。
【００３８】
最後に、図６、７および８は、２つの異なるキャリヤー要素の態様を示す。
【００３９】
図６に、脱脂綿（28）の層がその上に配置された厚紙のディスク（27）で形成されたキャリヤー要素（26）を示し、図７に脱脂綿の層がスポンジ状のプラスチックの層で置き換えられた態様を示す。あるいは、厚紙の層またはプラスチックの層が形成されていないキャリヤー要素を、例えばそれら自身が十分な固さを有する場合には、使用することも可能である。
【００４０】
最後に、綿毛で作られた図７に示すキャリヤー要素の部分斜視図を図８に示す。
【００４１】
図示されていない態様によれば、突き出し体は：
突き出し手段（またはエジェクト手段）が、ハウジング内に配置されたねじきりされたガイドを含み、
突き出し体に、ねじきりされたガイドに係合する係合手段が設けられ、かつ
回転手段が突き出し体を回転させるように配置されている
場合に駆動する。
この機構はとりわけ口紅で知られている。
【００４２】
種々の変更を、本発明に対して特にデザインに関して施し得ることが明らかであろう。したがって、本発明は、丸い断面の代わりに、例えば四角、長円形または三角形の断面を有し得る。
【図面の簡単な説明】
【図１】  図１は、本発明の第１の態様の一部を断面とした模式的斜視図を示す。
【図２】  図２は、追加のコンテナが使用される図１に示す態様の断面図である。
【図３】  図３は、外側に移動した別の状態の図２と一致する図を示す。
【図４】  図４は、外側に移動した次の状態の図３と一致する図を示す。
【図５】  図５は、本発明の第２の態様の断面図を示す。
【図６】  図６は、本発明のキャリヤー要素の第１の態様の断面図を示す。
【図７】  図７は、本発明のキャリヤー要素の別の態様の図６と同じ図を示す。
【図８】  図８は、図７に示すキャリヤー要素の斜視図である。
【図１】
0004226784.tif 000002
【図２】
0004226784.tif 000003
【図３】
0004226784.tif 000004
【図４】
0004226784.tif 000005
【図５】
0004226784.tif 000006
【図６】
0004226784.tif 000007
【図７】
0004226784.tif 000008
【図８】
0004226784.tif 000009